(57)【特許請求の範囲】
【請求項１】
被写体の輝度を測定する測光手段と、
シャッタ秒時を設定するシャッタ秒時設定手段と、
光学系を介した被写体光を撮像して、画像信号として出力する撮像素子と、
前記画像信号の信号レベルを補正する可変利得増幅器と、
シャッタボタンで撮影指示があった場合の撮影時に、前記測光手段の測光結果が第１の輝度値以上である場合は、前記シャッタ秒時設定手段によりシャッタ秒時を変更することで露光制御を行い、前記測光手段の測光結果が第１の輝度値未満であり、かつ前記第１の輝度値よりも低い第２の輝度値以上である場合は、シャッタ秒時を固定し、前記可変利得増幅器の利得を変更することで露光制御を行い、前記測光手段の測光結果が前記第２の輝度値未満である場合は、前記可変利得増幅器の利得を規定値まで上げた状態で前記シャッタ秒時設定手段によりシャッタ秒時を変更することで露光制御を行い、リモコン，セルフタイマによる撮影時には、前記測光手段の測光結果に基づき、前記可変利得増幅器の利得を増加せずに、前記シャッタ秒時設定手段によりシャッタ秒時を変更することで露光制御を行う露光制御手段と、
を備えたことを特徴とするデジタルカメラ。
【請求項２】
前記規定値を設定する規定値設定手段を備えたことを特徴とする請求項１記載のデジタルカメラ。
【請求項３】
ストロボ装置を備え、ストロボ光を発して撮影を行う場合には、前記可変利得増幅器の利得を増加させないことを特徴とする請求項１記載のデジタルカメラ。
【請求項４】
前記可変利得増幅器の利得を増加させて撮影を行う場合に、表示手段に、利得を増加させて撮影を行う旨を表示させる表示制御手段を備えたことを特徴とする請求項１記載のデジタルカメラ。
【請求項５】
設定されたシャッタ秒時が、撮影時に手振れを引き起こす可能性のある手振れシャッタ秒時以下であるか否かを判定する手振れ秒時判定手段を更に備え、
前記表示制御手段は、前記可変利得増幅器の利得を増加させて撮影を行う場合に、手振れシャッタ秒時以下で撮影される際には、手振れシャッタ秒時以下で撮影される旨を表示することを特徴とする請求項４記載のデジタルカメラ。
【請求項６】
光学系の焦点距離に応じて、前記第１の輝度値及び第２の輝度値を変化させることを特徴とする請求項１記載のデジタルカメラ。
【発明の詳細な説明】
【０００１】
【発明の属する技術分野】
本発明は、デジタルカメラに係り、特に撮影時の手振れを防止する手振れ防止機能を備えたデジタルカメラに関するものである。
【０００２】
【従来の技術】
デジタルカメラにおける小型化，軽量化の傾向から、カメラの手持ち撮影時に手振れを起こしやすく、撮影画像の全体にピントが合わず、全体的にぼやけた映像が撮れやすい傾向にある。そこで、手持ち撮影に際して手振れを防止するための各種の手段が提案され、手振れ防止機能を備えたデジタルカメラも市販されている。
【０００３】
例えば特開平４−５７４８１号公報に記載のビデオカメラ装置では、シャッタ速度切替可能な固体撮像素子を用い、該固体撮像素子のシャッタ速度を切り替えるシャッタ速度制御手段と、カメラ振れ補正を行うカメラ振れ補正手段と、該シャッタ速度制御手段とカメラ振れ補正手段の動作を共に制御する制御手段により、カメラ振れ補正の動作に連動してシャッタ速度の切替が可能な構成として、カメラ振れ補正時の映像の解像度の劣化防止を図っている。
【０００４】
また特開平１１−２１５４３２号公報に記載されたデジタルカメラでは、手振れ軽減撮影モード時には、設定されたシャッタ秒時が手振れシャッタ秒時以下である場合には、画像信号の信号レベルを補正する可変利得増幅器の利得を、あらかじめ設定されている規定値まで増加させる構成にして、手振れ画像になることを防いでいる。
【０００５】
【発明が解決しようとする課題】
しかしながら、特開平４−５７４８１号公報に記載のビデオカメラ装置では、手振れを避けるための複雑な回路を必要とし、構成が複雑になると共に、高コストになるという問題がある。
【０００６】
特開平１１−２１５４３２号公報に記載されたデジタルカメラでは、手動で手振れ軽減撮影モードに設定しなければならなかった。また、可変利得増幅器の利得を増加させることにより、画像信号の信号レベルを補正することは、手振れを軽減させる解決法にはなるが、可変利得増幅器の利得レベルを上げるとノイズも増え、画質（例えば解像力）が劣化する。高画質を望む場合は、低レベルの利得を設定することにより、より高画質の画像を得ることができる。しかし、これらのことを判断して撮影を行うことは、一般ユーザとって容易なことではない。
【０００７】
本発明は、前記従来の課題を解決し、簡単かつ低コストの構成で、手振れを避けることが可能で、しかも手振れ軽減を優先するか、あるいは画質を優先する撮影を行うかをコントロールする機能を備え、一般ユーザであっても、撮影状態にあった適正な撮影が行えるようにしたデジタルカメラを提供することを目的とする。
【０００８】
【課題を解決するための手段】
前記目的を達成するため、請求項１に記載の発明は、被写体の輝度を測定する測光手段と、シャッタ秒時を設定するシャッタ秒時設定手段と、光学系を介した被写体光を撮像して、画像信号として出力する撮像素子と、前記画像信号の信号レベルを補正する可変利得増幅器と、シャッタボタンで撮影指示があった場合の撮影時に、前記測光手段の測光結果が第１の輝度値以上である場合は、前記シャッタ秒時設定手段によりシャッタ秒時を変更することで露光制御を行い、前記測光手段の測光結果が第１の輝度値未満であり、かつ前記第１の輝度値よりも低い第２の輝度値以上である場合は、シャッタ秒時を固定し、前記可変利得増幅器の利得を変更することで露光制御を行い、前記測光手段の測光結果が前記第２の輝度値未満である場合は、前記可変利得増幅器の利得を規定値まで上げた状態で前記シャッタ秒時設定手段によりシャッタ秒時を変更することで露光制御を行い、リモコン，セルフタイマによる撮影時には、前記測光手段の測光結果に基づき、前記可変利得増幅器の利得を増加せずに、前記シャッタ秒時設定手段によりシャッタ秒時を変更することで露光制御を行う露光制御手段とを備えたことを特徴とし、この構成によって、撮影に際してユーザが、手振れ軽減を優先するか、あるいは画質を優先するかを選択しなくとも、通常モードでは輝度に応じて、シャッタ秒時を変更することで露光制御が行われたり、可変利得増幅器の利得を変更することで露光制御が行われたり、可変利得増幅器の利得を規定値まで上げた状態でシャッタ秒時を変更することで露光制御が行われ、また、三脚を用いたり、カメラ据え置き状態にするリモコン，セルフタイマなどを用いた撮影では、手振れ軽減処理を行う必要がないため、利得を増加させずに高画質撮影を行う撮影モードになる。
【０００９】
請求項２に記載の発明は、請求項１記載のデジタルカメラにおいて、規定値を設定する規定値設定手段を備えたことを特徴とし、この構成によって、ユーザが、利得を増加する規定値を設定できるようにすることにより、手振れ軽減と画質のバランスを設定することが可能となる。
【００１０】
請求項３に記載の発明は、請求項１に記載のデジタルカメラにおいて、ストロボ装置を備え、ストロボ光を発して撮影を行う場合には、可変利得増幅器の利得を増加させないことを特徴とし、この構成によって、オートストロボにおけるＡＧＣ増加によるストロボ光での露出オーバーを防止することが可能となる。
【００１１】
請求項４に記載の発明は、請求項１記載のデジタルカメラにおいて、可変利得増幅器の利得を増加させて撮影を行う場合に、表示手段に、利得を増加させて撮影を行う旨を表示させる表示制御手段を備えたことを特徴とし、この構成によって、利得を増加して撮影する際に、その旨を表示することにより、画質が通常よりも低下して撮影されることをユーザに認知させることができる。
【００１２】
請求項５に記載の発明は、請求項４記載のデジタルカメラにおいて、設定されたシャッタ秒時が、撮影時に手振れを引き起こす可能性のある手振れシャッタ秒時以下であるか否かを判定する手振れ秒時判定手段を更に備え、表示制御手段は、可変利得増幅器の利得を増加させて撮影を行う場合に、手振れシャッタ秒時以下で撮影される際には、手振れシャッタ秒時以下で撮影される旨を表示することを特徴とし、この構成によって、手振れが発生する可能性が高いことをユーザに報知することができる。
【００１３】
請求項６に記載の発明は、請求項１記載のデジタルカメラにおいて、光学系の焦点距離に応じて、前記第１の輝度値及び第２の輝度値を変化させることを特徴とし、この構成によって、露光制御が焦点距離に応じて適切に設定されることになる。
【００１４】
【発明の実施の形態】
以下、本発明の好適な実施形態について図面を参照しながら説明する。
【００１５】
図１は本発明の実施形態を説明するためのデジタルカメラの構成図であり、１００はデジタルカメラを示しており、デジタルカメラ１００は、レンズ系１０１ａおよび１０１ｂ、絞り・フィルタ部などのメカニカル機構１０２、撮像素子であるＣＣＤ（電荷結合素子）１０３、ＣＤＳ（相関２重サンプリング）回路１０４、可変利得増幅器（ＡＧＣアンプ：ＶＧ（可変）アンプ）１０５、Ａ／Ｄ（アナログ／デジタル）変換器１０６、ＩＰＰ（Image Pre-Processor）１０７、ＤＣＴ（Discrete Cosine Transform）１０８、コーダー（Huffman Encoder/Decoder）１０９、ＭＣＣ（Memory Card Controller）１１０、ＤＲＡＭ１１１、ＰＣカードインタフェース１１２、ＣＰＵ１２１、表示部１２２、操作部１２３、ＳＧ（制御信号生成）部１２６、ストロボ装置１２７、バッテリ１２８、ＤＣ−ＤＣコンバータ１２９、ＥＥＰＲＯＭ１３０、フォーカスドライバ１３１、パルスモータ１３２、ズームドライバ１３３、パルスモータ１３４、モータドライバ１３５を具備して構成されている。また、ＰＣカードインタフェース１１２を介して着脱可能なＰＣカード１５０が接続されている。
【００１６】
レンズユニットは、レンズ１０１系、絞り・フィルター部等を含むメカ機構１０２からなり、メカニカル機構１０２のメカニカルシャッタは２つのフィールドの同時露光を行う。レンズ系１０１は、例えば可変フォーカスレンズからなり、フォーカスレンズ系１０１ａとズームレンズ系１０１ｂとで構成されている。
【００１７】
フォーカスドライバ１３１は、ＣＰＵ１２１から供給される制御信号に従って、パルスモータ１３２を駆動して、フォーカスレンズ系１０１ａを光軸方向に移動させる。ズームドライバ１３１は、ＣＰＵ１２１から供給される制御信号に従って、パルスモータ１３２を駆動して、ズームレンズ系１０１ｂを光軸方向に移動させる。また、モータドライバ１３５は、ＣＰＵ１２１から供給される制御信号に従ってメカニカル機構１０２を駆動し、例えば絞りの値を設定する。
【００１８】
ＣＣＤ１０３は、レンズユニットを介して入力した映像を電気信号（アナログ画像データ）に変換する。ＣＤＳ回路１０４は、ＣＣＤ型撮像素子に対する低雑音化のための回路である。
【００１９】
ＡＧＣアンプ１０５は、ＣＤＳ回路１０４で相関２重サンプリングされた信号のレベルを補正する。なお、ＡＧＣアンプ１０５のゲイン（利得）は、ＣＰＵ１２１がＥＥＰＲＯＭ１３０に格納されたコントロール電圧と出力ゲインとの関係を定めたデータを用いて、ＣＰＵ１２１が内蔵するＤ／Ａ変換器を介して設定データ（コントロール電圧）として設定される。
【００２０】
Ａ／Ｄ変換器１０６は、ＡＧＣアンプ１０５を介して入力したＣＣＤ１０からのアナログ画像データをデジタル画像データに変換する。すなわち、ＣＣＤ１０３の出力信号は、ＣＤＳ回路１０４およびＡＧＣアンプ１０５を介し、またＡ／Ｄ変換器１０６により、最適なサンプリング周波数（例えばＮＴＳＣ信号のサブキャリア周波数の整数倍）にてデジタル信号に変換される。
【００２１】
デジタル信号処理部であるＩＰＰ１０７，ＤＣＴ１０８およびコーダー１０９は、Ａ／Ｄ変換器１０６から入力したデジタル画像データについて、色差（Ｃｂ，Ｃｒ）と輝度（Ｙ）に分けて各種処理，補正および画像圧縮／伸長のためのデータ処理を施す。コーダー１０９は、例えばＪＰＥＧ準拠の画像圧縮・伸長の一過程である直交変換、並びにＪＰＥＧ準拠の画像圧縮・伸長の一過程であるハフマン符号化・復号化などを行う。
【００２２】
ＭＣＣ１１０は、圧縮処理された画像を一旦蓄えてＰＣカードインタフェース１１２を介してＰＣカード１５０への記録を行ったり、ＰＣカード１５０からの読み出しを行う。
【００２３】
ＣＰＵ１２１は、ＣＰＵ１２１のＲＯＭに格納されたプログラムに従ってＣＰＵ１２１のＲＡＭを作業領域として使用し、操作部１２３からの指示、あるいは図示しないリモコンなどの外部動作指示に従い，前記デジタルカメラ内部の全動作を制御する。具体的には、ＣＰＵ１２１により、撮像動作，自動露出（ＡＥ）動作，自動ホワイトバランス（ＡＷＢ）調整動作，ＡＦ動作、あるいはシャッタ秒時の設定などの制御、さらには手振れシャッタ秒時の判定，ＡＧＣアンプ１０５のゲイン制御などが行われる。
【００２４】
またカメラ電源はバッテリ１２８、例えばＮｉＣｄ，ニッケル水素，リチウム電池などから、ＤＣ−ＤＣコンバータ１２９に入力され、当該デジタルカメラ内部に供給される。
【００２５】
表示部１２２は、ＬＣＤ，ＬＥＤ，ＥＬなどからなっており、各種動作モードの設定表示，警告表示，撮影したデジタル画像データ、あるいは伸長処理された記録画像データなどの表示を行う。操作部１２３は，機能選択，撮影指示，ＡＧＣアンプ１０５のゲインの規定値に対する設定変化、およびその他の各種設定を外部から行うための設定用のボタン（シャッタボタンを含む）を備えている。ＥＥＰＲＯＭ１３０には、ＣＰＵ１２１がデジタルカメラの動作を制御する際に使用する調整データ等が書き込まれている。
【００２６】
前記構成のデジタルカメラ１００（ＣＰＵ１２１）は、モニタリングモードと、撮影（記録）モード（手振れ軽減撮影モードと通常撮影モード）と、表示モードとを備えている。ここで撮影（記録）モードは、被写体を撮像して得られる画像データをＰＣカード１５０に記録するモードであり、手振れの軽減を行わない通常撮影モードと、ＡＧＣアンプ１０５のゲインを増加させて撮影を行う手振れ軽減撮影モードがある。
【００２７】
図３はＡＧＣアンプ１０５のコントロール電圧（CONTROL VOLTAGE）と出力ゲイン（Measured Gain）との関係を示す図である。図３において、横軸はＡＧＣアンプ１０５のコントロール電圧（Control Voltage）を、縦軸はＡＧＣアンプ１０５の出力ゲイン（Measured Gain）を夫々示している。この図３に示す特性曲線のデータは、数値化されて図１に示すＥＥＰＲＯＭ１３０に格納される。
【００２８】
図２は前記ＩＰＰ１０７の具体的構成の一例を示す図である。ＩＰＰ１０７は、Ａ／Ｄ変換器１０６から入力したデジタル画像データをＲ，Ｇ，Ｂの各色成分に分離する色分離部１０７１と、分離されたＲ，Ｇ，Ｂの各画像データを補間する信号補間部１０７２と、Ｒ，Ｇ，Ｂの各画像データの黒レベルを調整するペデスタル調整部１０７３と、Ｒ，Ｂの各画像データの白レベルを調整するホワイトバランス調整部１０７４と、ＣＰＵ１２１により設定されたゲインでＲ，Ｇ，Ｂの各画像データを補正するデジタルゲイン調整部１０７５と、Ｒ，Ｇ，Ｂの各画像データのガンマ変換を行うγ変換部１０７６と、Ｒ，Ｇ，Ｂの画像データを色差信号（Ｃｂ，Ｃｒ）と輝度信号（Ｙ）とに分離するマトリックス部１０７７と、色差信号（Ｃｂ，Ｃｒ）と輝度信号（Ｙ）とに基づいてビデオ信号を作成し表示部１２２に出力するビデオ信号処理部１０７８とを備えている。
【００２９】
さらに、ＩＰＰ１０７は、ペデスタル調整部１０７３によるペデスタル調整後の画像データの輝度データ（Ｙ）を検出するＹ演算部１０７９と、Ｙ演算部１０７９で検出した輝度データ（Ｙ）の所定周波数成分のみを通過させるＢＰＦ１０８０と、ＢＰＦ（帯域フィルタ）１０８０を通過した輝度データ（Ｙ）の積分値をＡＦ（自動フォーカス）評価値としてＣＰＵ１２１に出力するＡＦ評価値回路１０８１と、Ｙ演算部１０７９で検出した輝度データ（Ｙ）に応じたデジタルカウント値をＡＥ（自動露光）評価値としてＣＰＵ１２１に出力するＡＥ評価値回路１０８２と、ホワイトバランス調整部１０７４によるゲイン調整後のＲ，Ｇ，Ｂの各画像データの輝度データ（Ｙ）を検出するＹ演算部１０８３と、Ｙ演算部１０８３で検出した各色の輝度データ（Ｙ）をそれぞれカウントして各色のＡＷＢ評価値としてＣＰＵ１２１に出力するＡＷＢ（ホワイトバランス）評価値白抽出設定回路１０８４と、ＣＰＵ１２１とのインターフェースであるＣＰＵ Ｉ／Ｆ１０８５と、ＤＣＴ１０８とのインターフェースであるＤＣＴ Ｉ／Ｆ１０８６などを備えている。
【００３０】
前記ＡＥ評価値回路１０８２は、画面（ＣＣＤ１０３の受光画面）を、６つのＡＥエリアに分割した場合の各エリアの輝度値を重み付け演算して得られるＡＥ評価値を出力する。より具体的には、Ｙ演算部１０７９は、画像データの各画素ごとの輝度データをＡＥ評価値回路１０８２に出力し、ＡＥ評価値回路１０８２は、前記各ＡＥエリア内の輝度データを、それぞれ積算した値を輝度値として算出し、算出した各ＡＥエリアの輝度値を、重み付け演算した値をＡＥ評価値としてＣＰＵ１２１に出力する。
【００３１】
次に、本実施形態におけるＣＰＵ１２１によるＡＥ制御動作について説明する。
【００３２】
ＡＥ制御は、ＡＥ評価値が適正露光時の基準値となるようにＣＣＤのシャッタ速度とＡＧＣアンプ１０５の利得を制御する。なお、本動作例では、絞りを固定（Ｆ４；Ａｖ４）として説明を行う。
【００３３】
以下、モニタリング中，通常撮影モード，手振れ軽減撮影モードのそれぞれにおけるＡＥ制御を、その各々に対応したＥＶ線図を参照して説明する。
【００３４】
一般的に、ＥＶ線図は、目的の露出値ＥＶ（Exposure Value）にするための開口値ＡＶ（Aperture Value）と時間値ＴＶ（Time Value）の組み合わせを表す図であり、これら露出調整における露出値Ｅｖ，開口値Ａｖおよひ時間値Ｔｖの間には、Ｅｖ＝Ａｖ＋Ｔｖの関係がある。また輝度値ＬＶ（Light Value）は測光値であり、適正露出ではＥＶ＝Ｌｖである。なお、１／Ｔは「２」のＴｖ乗に等しく，またＦＮｏ.(絞り値）の２乗は２のＡｖ乗に等しいという関係がある。
【００３５】
ここでは、ＥＶ線図としているが、ＢＶ線図とした方が正しいかもしれないが一般的ではないので、ここではＥＶ線図とする。なお、ＢＶ線図は、Ｂｖ＝Ｅｖ−Ｓｖ（ＩＳＯ感度）＝Ａｖ＋Ｔｖ−ＳｖからＡｖが一定であれば、ＢｖはＴｖとＳｖの組み合わせで対応できる。輝度（明るさ）により、シャッタ秒時（Ｔｖ）とＩＳＯ感度（Ｓｖ）を組み合わせて設定すれば適正露出にできる。
【００３６】
（モニタリングモード）
図４は、内蔵された表示部１２２のＬＣＤモニタ（図１参照）に、記録前の画像を表示（モニタリング）するためのＡＥ制御に使用するＥＶ線図である。ここでのＩＳＯ感度は、映像出力を補正するためにＡＧＣアンプ１０５に設定されたゲインで決定される。
【００３７】
ＥＶ線図は、適正露出時にＣＣＤ１０３の感度とＡＧＣアンプ１０５に設定されたゲインで決定される。適正露出時にＣＣＤの映像出力がＩＰＰ１０７に良好に出力されるＡＧＣアンプ１０５のゲインを、図３に示すように０ｄＢ；０．３Ｖとし、そのときのＩＳＯ感度を１００とする。またＩＳＯ感度を１００〜２００にするにはＡＧＣアンプ１０５に設定するゲインを０ｄＢ〜６ｄＢにし、２００〜４００にするには６ｄＢ〜１２ｄＢとすればよい。
【００３８】
Ｅｖ９〜Ｅｖ１７までは、シャッタ秒時の設定（Ｔｖ５；１／３０秒からＴｖ１３；１／８０００）のみを変えることによりＡＶ制御を行う（ＩＳＯ１００；Ｓｖ５〜ＩＳＯ４００；Ｓｖ７）を変える。
【００３９】
ワイド（広角撮影），テレ（望遠撮影）共に、Ｅｖ９（１／３０秒）以下で、ＡＧＣアンプ１０５のゲインを増加（ＣＣＤＩＳＯ感度を上げる）することにより、シャッタ秒時を最大２Ｅｖ分まで保持して画面を適正な明るさにする（ＣＣＤＩＳＯ１００〜ＩＳＯ４００まで変化する）。ワイドレンズの場合、手振れシャッタ秒時１／６０秒以下の場合でも、モニタ時に使用することができる最低のシャッタ秒時が１／３０秒以上の場合はＡＧＣアンプ１０５のゲインはアップさせない。テレレンズの場合も、手振れシャッタ秒時１／２５０秒時以下の場合でも、１／３０秒以上の場合はＡＧＣアンプ１０５のゲインはアップさせない。
【００４０】
このように、モニタリング時はモニタリングに設定可能なシャッタ秒時１／３０秒より高速のシャッタ秒時において、ＡＧＣアンプ１０５のゲインがアップさせないようにすることにより、ＡＧＣアンプ１０５のゲインアップによるＡＥ，ＡＦ，ＡＷＢの制御異常を防止している。
【００４１】
（通常撮影モード（セルフタイマ，リモコンによる撮影の場合））
図５は、通常撮影モードでのＡＥ制御に使用するＥＶ線図である（ＣＣＤＩＳＯ感度１００とする）。通常撮影モードの記録時は、Ｅｖ９以下においてもＡＧＣアンプ１０５のゲインをアップせず、シャッタ秒時の設定のみを変更することによりＡＥを行う（Ｅｖ９以下のＴｖ５以下では、１Ｖｄ期間以上のロングシャッタ秒時となる）。ただし、高速シャッタ速度（Ｔｖ９以上）において、電子シャッタの単位６３.５５μｓｅｃにより生じる制御量子化誤差をＡＧＣアンプ１０５により補正を行う（最大＋１Ｅｖ）。ストロボオートモード時はシャッタ秒時が規定の秒時以下になる時は、ストロボ装置１２７を駆動させて、規定のシャッタ秒時としてストロボを発光して撮影する。規定秒時はワイドの場合１／６０秒、テレの場合１／２５０秒であり、ストロボ・オフモードの場合はストロボを発光しないでシャッタ秒時を１／４秒まで使用して撮影する。ストロボ・オンモードではシャッタ秒時に関係なく、ストロボを発光して撮影する。
【００４２】
（手振れ軽減撮影モード（レリーズボタンによる撮影の場合））
図６は、手振れ軽減撮影モードでのＡＥ制御に使用するＥＶ線図である（シャッタ速度；ＣＣＤＩＳＯ感度１００とする）。ワイド（Ｅｖ１０（１／６０秒）），テレ（Ｅｖ１２（１／２５０秒））以下で、ＡＧＣアンプ１０５のゲインをアップ（ＣＣＤＩＳＯ感度を上げる）することにより、シャッタ秒時を最大２Ｅｖ分まで保持して手振れの発生を避ける。以下、ワイドの場合、テレの場合、焦点距離がワイドとテレの間の場合について説明する。
【００４３】
▲１▼  ワイドの場合
Ｅｖ１０〜Ｅｖ１７までは、シャッタ秒時の設定（Ｔｖ６；１／６０秒からＴｖ１３；１／８０００）のみを変えることによりＡＥ制御を行う（Ｅｖ＝Ａｖ＋Ｔｖ；Ａｖ＝４固定）。またＥｖ８〜Ｅｖ１０までは、シャッタ秒時をＴｖ６；１／６０秒として、ＡＧＣアンプ１０５に設定するゲイン（ＩＳＯ１００；Ｓｖ５〜ＩＳＯ４００；Ｓｖ７）を変えることによりＡＥ制御を行う。Ｅｖ８以下の場合はゲイン設定をＩＳＯ４００としてシャッタ秒時の設定を１／１５秒より遅い範囲で変える。
【００４４】
▲２▼テレの場合
Ｅｖ１２〜Ｅｖ１７までは、シャッタ秒時の設定（Ｔｖ８；２５０秒からＴｖ１３；１／８０００）のみを変えることによりＡＥ制御を行う（Ｅｖ＝Ａｖ＋Ｔｖ；Ａｖ＝４固定）。また、Ｅｖ１０〜Ｅｖ１２までは、シャッタ秒時をＴｖ８；１／２５０秒として、ＡＧＣアンプ１０５に設定するゲイン（ＩＳＯ１００；Ｓｖ５〜ＩＳＯ４００；Ｓｖ７）を変えることによりＡＥ制御を行う。また、Ｅｖ６〜Ｅｖ１０までは、ＣＤＳ１０４に設定するゲインをＩＳＯ４００；Ｓｖ７として、シャッタ秒時の設定（Ｔｖ４．１、１／１５秒からＴｖ８；１／２５０）を変えることによりＡＥ制御を行う。
【００４５】
▲３▼  焦点距離がワイドとテレの間（ミーン）の場合
ワイドおよびテレの場合のＡＥ制御が、Ｔｖを変化することにより行われる制御から、Ｓｖを変化する制御に移行するＥｖのポイントを、（表１）に示すように設定されている焦点距離とワイド，テレの焦点距離の比により変えてＡＥ制御を行う。
【００４６】
【表１】
0004000911.tif 000002
【００４７】
焦点距離がワイドとテレの間のレンズの場合、Ｅｖ１１以上でシャッタ秒時を設定を１／１２５秒以上の範囲で変え、Ｅｖ９〜１１でシャッタ秒時を１／１２５秒としてＡＧＣアンプ１０５のゲインをアップし、Ｅｖ９以下でＡＧＣアンプ１０５のゲインをＩＳＯ４００としてシャッタ秒時の設定を１／３０秒より遅い範囲で変える。
【００４８】
次に、手振れ軽減撮影モード時の設定／表示方法について説明する。図７〜図１０は、表示装置１２２の表示される操作モード設定画面の表示例を示している。操作部１２３は、図示はしないが、「△」，「▽」，「ＤＡＴＥ」ボタンなどを備えている。
【００４９】
先ず、操作部１２３の「△」と「ＤＡＴＥ」スイッチが同時にＯＮされると、ＣＰＵ１２１は、表示装置１２２に図７に示すような操作モード設定画面を表示する。そして操作部１２３の「△」「▽」でゲインレベルアップの値を設定する。「△」ボタンを押すことにより、「ゲインレベルアップ  ０．５」→「ゲインレベルアップ  １．０」→「ゲインレベルアップ  １．５」→「ゲインレベルアップ  ２．０」と順次表示され、「▽」ボタンを押すことにより、表示を順次逆方向に表示する。
【００５０】
手振れ軽減モード（レリーズによる撮影時）の場合に、操作部１２３のシャッターレリースボタンをレリース１のステップまで押すと、表示装置１２２に（表２）に従った表示を行う。
【００５１】
【表２】
0004000911.tif 000003
【００５２】
すなわち、前記（表２）において、Ｅｖが▲１▼となる場合には、図７に示す如く、「ＡＧＣ  ＬＥＶＥＬ  ＵＰ」および「スローシャッター」を表示し、Ｅｖが▲２▼となる場合には、図８に示す如く、「ＡＧＣ  ＬＥＶＥＬ  ＵＰ」を表示し、Ｅｖが▲３▼となる場合には、図９に示す如く、「ＡＧＣ  ＬＥＶＥＬ  ＵＰ」および「スローシャッター」を表示しない。
【００５３】
セルフタイマ，リモコン撮影の場合には、操作部１２３のレリーズ１がＯＮされると、表示装置１２２に（表３）に従った表示を行う。
【００５４】
【表３】
0004000911.tif 000004
【００５５】
すなわち、前記（表３）において、Ｅｖが▲１▼となる場合には、図１０に示す如く、「スローシャッター」を表示し、Ｅｖが▲２▼となる場合には、図９に示す如く、「ＡＧＣ  ＬＥＶＥＬ  ＵＰ」および「スローシャッター」を表示しない。
【００５６】
以上説明したように、本実施形態においては、手振れ軽減撮影モードにおいて、設定されたシャッタ秒時が、手振れシャッタ秒時以下である場合には、規定値までＡＧＣアンプの利得を増加させる構成であるので、手振れを簡単かつ低コストの構成で避けることが可能となる。
【００５７】
とこで、銀塩フィルムを使用するカメラでは、フィルムの種類を変えることによりＩＳＯ感度を変更することが可能であり、ＩＳＯ感度の高いフィルムを用いることにより、暗い場所での手持ち撮影における手ぶれを軽減することができるが、デジタルカメラでは、フィルムに相当するＣＣＤを交換することは困難であるので、本実施形態にて説明したように、ＡＧＣアンプ１０５のゲインを増加することによって、銀塩フィルムを使用するカメラにおいて高感度フィルムを使用するのと同じような効果を得ることができる。
【００５８】
【発明の効果】
以上説明したように、本発明によれば、シャッタボタンで撮影指示があった場合の撮影時の通常モードでは輝度に応じて、シャッタ秒時を変更することで露光制御が行われたり、可変利得増幅器の利得を変更することで露光制御が行われたり、可変利得増幅器の利得を規定値まで上げた状態でシャッタ秒時を変更することで露光制御が行われ、またリモコン，セルフタイマによる撮影時には、可変利得増幅器の利得を増加せずに、シャッタ秒時を変更することで露光制御することによって、撮影に際してユーザが、手振れ軽減を優先するか、あるいは画質を優先するかを選択しなくとも、手持ち撮影時は手振れを軽減する撮影モードになり、また、三脚を用いたり、カメラ据え置き状態にするリモコン，セルフタイマなどを用いた撮影では、手振れ軽減処理を行う必要がないため、利得を増加させずに高画質撮影を行う撮影モードになり、撮影状態にあった適正な撮影が行えるようにしたデジタルカメラを提供することができる。
【図面の簡単な説明】
【図１】本発明の実施形態を説明するためのデジタルカメラの構成を示すブロック図
【図２】本実施形態におけるＩＰＰの具体的構成の一例を示すブロック図
【図３】本実施形態におけるＡＧＣアンプのコントロール電圧と出力ゲインとの関係を示す図
【図４】本実施形態におけるモニタリングの際のＡＥ制御に使用するＥＶ線図
【図５】本実施形態におけるセルフタイマー，リモコン撮影でのＡＥ制御に使用するＥＶ線図
【図６】本実施形態におけるレリーズ撮影でのＡＥ制御に使用するＥＶ線図
【図７】本実施形態におけるレリーズ撮影での表示画面の表示例を示す図
【図８】本実施形態におけるレリーズ撮影での表示画面の表示例を示す図
【図９】本実施形態におけるレリーズ撮影での表示画面の表示例を示す図
【図１０】本実施形態におけるレリーズ撮影でない場合の表示画面の表示例を示す図
【符号の説明】
１００  デジタルカメラ
１０１ａ，１０１ｂ  レンズ系
１０２  メカニカル機構
１０３  ＣＣＤ（電荷結合素子）
１０４  ＣＤＳ（相関２重サンプリング）回路
１０５  可変利得増幅器（ＡＧＣアンプ）
１０７  ＩＰＰ（Image Pre-Processor)
１１１  ＤＲＡＭ
１２１  ＣＰＵ
１２２  表示部
１２３  操作部
１２７  ストロボ装置
１３０  ＥＥＰＲＯＭ
【図１】
0004000911.tif 000005
【図２】
0004000911.tif 000006
【図３】
0004000911.tif 000007
【図４】
0004000911.tif 000008
【図５】
0004000911.tif 000009
【図６】
0004000911.tif 000010
【図７】
0004000911.tif 000011
【図８】
0004000911.tif 000012
【図９】
0004000911.tif 000013
【図１０】
0004000911.tif 000014